(57)【要約】      （修正有）【課題】換気手段の駆動状態に伴い変化する浴室内外の圧力差により自然に入浴時と非入浴時とで気流モードを切り替えることができる浴室空調装置を提供する。【解決手段】浴室空調装置は、浴室の内部の空気を浴室の外部に排出する換気手段と、浴室の壁面に設けられ、換気手段の駆動によって浴室の内部へ給気する内部流路５０を有する通気口３０と、を備えている。内部流路５０には、換気手段の駆動状態に伴い変化する浴室の内部と浴室の外部との圧力差に応じて、内部流路における浴室の外部から浴室の内部へ向けた空気の流通モードを変える通気切替手段３６が設けられている。【選択図】図２
2018021713.tif 000002
【特許請求の範囲】
【請求項１】
浴室の内部の空気を前記浴室の外部に排出する換気手段と、
前記浴室の壁面に設けられ、前記換気手段の駆動によって前記浴室の内部へ給気する内部流路を有する通気口と、
を備え、
前記内部流路には、前記換気手段の駆動状態に伴い変化する前記浴室の内部と前記浴室の外部との圧力差に応じて、前記内部流路における前記浴室の外部から前記浴室の内部へ向けた空気の流通モードを変える通気切替手段が設けられていることを特徴とする浴室空調装置。
【請求項２】
前記換気手段は、前記浴室の天井面に設けられ、
前記通気口は、前記浴室の前記壁面の上方に設けられていることを特徴とする請求項１記載の浴室空調装置。
【請求項３】
前記通気切替手段は、前記内部流路の上面近傍を支点として、前記浴室の外部から前記浴室の内部に向かう流路の方向に可動する弁体を有することを特徴とする請求項２記載の浴室空調装置。
【請求項４】
前記弁体は鉛直方向に対して傾斜するように設置され、前記内部流路内において空気の非流通時には、前記弁体の自重により前記通気切替手段は閉状態を構成していることを特徴とする請求項３記載の浴室空調装置。
【請求項５】
前記通気口は、
前記浴室の内部から前記浴室の外部への空気の流通を抑止する逆止弁が設けられ、前記換気手段の駆動時に前記天井面へ給気する第１の内部流路と、
前記圧力差が所定値を超えている場合に前記浴室の床面へ給気する前記通気切替手段が設けられた第２の内部流路と、
を有することを特徴とする請求項４記載の浴室空調装置。
【請求項６】
前記内部流路は、前記浴室の前記天井面に給気する流路途中の分岐点で二分した一方の第１の内部流路と、前記浴室の床面に給気する他方の第２の内部流路とを有し、
前記通気切替手段が有する前記弁体は、前記分岐点に設けられていることを特徴とする請求項４記載の浴室空調装置。
【請求項７】
前記弁体は、前記浴室の内部から前記浴室の外部への空気の流通を抑止する逆止弁として機能することを特徴とする請求項６記載の浴室空調装置。
【請求項８】
前記圧力差が第１所定値未満の場合には、前記天井面にのみ給気が行われ、
前記圧力差が前記第１所定値よりも大きい第２所定値以上の場合には、前記床面にのみ給気が行われ、
前記圧力差が前記第１所定値以上であり、かつ前記第２所定値未満の場合には、前記天井面と前記床面の両方に給気が行われるように、
前記弁体が可動することを特徴とする請求項５〜７のいずれか１つに記載の浴室空調装置。
【請求項９】
前記浴室に設けられたドアおよび窓が閉まっていない状態を検知してアラームする報知手段を備えたことを特徴とする請求項１〜８のいずれか１つに記載の浴室空調装置。
【発明の詳細な説明】
【技術分野】
【０００１】
本発明は、浴室空調装置に関する。
【背景技術】
【０００２】
浴室内は高温多湿の環境であるため、天井面や壁面で生じるカビの繁殖を防止するために十分な乾燥が必要である。従来、非入浴時（入浴後）に、浴室内に設けられた換気扇や浴室乾燥機を駆動させることによって浴室内の乾燥を促進し、カビの発生を抑制することができる。さらに、入浴時においても換気すれば、浴室内の結露水を低減し、入浴後の浴室内の乾燥時間を早め、カビの抑制に効果的である。しかし、入浴時に換気扇等を駆動させた場合、浴室内において洗い場や浴槽内にいる人に冷風感を与えてしまうという課題が生じる。
【０００３】
このような理由から、入浴時には体感温度の低下を感じさせないような空気の流れに特化した気流形成による換気を行い、浴室非利用時には制約のない（人の体感を考慮することのない）風量や風向による換気を行うように切り替えることが望まれていた。
【０００４】
特許文献１には、給湯リモコンの運転スイッチのオンオフで浴室内の人の有無を判別し、第１ギャラリと第２ギャラリの開閉を電動制御し、浴室内の空気流路を替えることが開示されている。
【０００５】
特許文献２には、浴室ドアの下部に備えた電動ダンパを浴室の照明の点灯に連動して閉じ、または消灯に連動して開くように制御することが開示されている。
【０００６】
特許文献３には、浴室内の照明の点灯により、側壁の上方の開口に設けられた第一給気ダンパから浴室内に給気され、照明の消灯により、側壁の下方の開口に設けられた第二給気ダンパから浴室内に給気されるようにダンパが開閉されることが開示されている。
【先行技術文献】
【特許文献】
【０００７】
【特許文献１】特開２００２−２５０５４８号公報
【特許文献２】特開２０００−２２０８７５号公報
【特許文献３】特開平９−１４７０７号公報
【発明の概要】
【発明が解決しようとする課題】
【０００８】
特許文献１〜３に開示されたような、浴室の利用判断制御や、これに応じた手動や電動による気流切替システムは、複雑な機構の付加、追加電力の発生、コストの増加が避けられない。
【０００９】
本発明は、換気手段の駆動状態に伴い変化する浴室内外の圧力差により自然に入浴時と非入浴時とで気流モードを切り替えることができる浴室空調装置を提供することを目的とする。
【課題を解決するための手段】
【００１０】
第１の発明の浴室空調装置は、浴室の内部の空気を前記浴室の外部に排出する換気手段と、前記浴室の壁面に設けられ、前記換気手段の駆動によって前記浴室の内部へ給気する内部流路を有する通気口と、を備え、前記内部流路には、前記換気手段の駆動状態に伴い変化する前記浴室の内部と前記浴室の外部との圧力差に応じて、前記内部流路における前記浴室の外部から前記浴室の内部へ向けた空気の流通モードを変える通気切替手段が設けられていることを特徴としている。  
第１の発明によれば、簡単かつ低コストな構成で、換気手段の駆動状態に伴い変化する浴室内外の圧力差により自然に入浴時と非入浴時とで気流モードを切り替えることができる。  
第２の発明は、第１の発明において、前記換気手段は、前記浴室の天井面に設けられ、前記通気口は、前記浴室の前記壁面の上方に設けられていることを特徴とする。  
第２の発明によれば、天井面を平行に流れる主気流を形成しやすい。これは、入浴者に冷風感を与えにくくしつつ、入浴中から天井面の結露量を抑制し、結果として入浴後の乾燥時間を早め、カビの発生および繁殖を抑制する。  
第３の発明は、第２の発明において、前記通気切替手段は、前記内部流路の上面近傍を支点として、前記浴室の外部から前記浴室の内部に向かう流路の方向に可動する弁体を有することを特徴とする。  
第３の発明によれば、簡単な構成によって、浴室の使用状況に応じた気流形成の切替を実現することができる。  
第４の発明は、第３の発明において、前記弁体は鉛直方向に対して傾斜するように設置され、前記内部流路内において空気の非流通時には、前記弁体の自重により前記通気切替手段は閉状態を構成していることを特徴とする。  
第４の発明によれば、弁体に作用する重力と、浴室内外の圧力差による力との関係を考慮した適切な設計により、排気能力や仕様変更に制限がある換気手段の駆動力変化に伴う微小圧力差をそのまま利用して、弁体の開閉を行うことができる。  
第５の発明は、第４の発明において、前記通気口は、前記浴室の内部から前記浴室の外部への空気の流通を抑止する逆止弁が設けられ、前記換気手段の駆動時に前記天井面へ給気する第１の内部流路と、前記圧力差が所定値を超えている場合に前記浴室の床面へ給気する前記通気切替手段が設けられた第２の内部流路と、を有することを特徴とする。  
第５の発明によれば、２つの弁体を用いた簡単な構成によって、浴室側からの湿気や熱の洗面室側などへの漏出を抑止しつつ、浴室の使用状況に応じた気流形成の切替を実現することができる。  
第６の発明は、第４の発明において、前記内部流路は、前記浴室の前記天井面に給気する流路途中の分岐点で二分した一方の第１の内部流路と、前記浴室の床面に給気する他方の第２の内部流路とを有し、前記通気切替手段が有する前記弁体は、前記分岐点に設けられていることを特徴とする。  
第６の発明によれば、１つの弁体という極めて簡単な構成によって、浴室の使用状況に応じた気流形成の切替を実現することができる。  
第７の発明は、第６の発明において、前記弁体は、前記浴室の内部から前記浴室の外部への空気の流通を抑止する逆止弁として機能することを特徴とする。  
第７の発明によれば、１つの弁体を用いた極めて簡単な構成によって、浴室側からの湿気や熱の洗面室側などへの漏出を抑止しつつ、浴室の使用状況に応じた気流形成の切替を実現することができる。  
第８の発明は、第５〜第７の発明のいずれか１つにおいて、前記圧力差が第１所定値未満の場合には、前記天井面にのみ給気が行われ、前記圧力差が前記第１所定値よりも大きい第２所定値以上の場合には、前記床面にのみ給気が行われ、前記圧力差が前記第１所定値以上であり、かつ前記第２所定値未満の場合には、前記天井面と前記床面の両方に給気が行われるように、前記弁体が可動することを特徴とする。  
第８の発明によれば、浴室内部の空気の流通モード（風量、風向、空気の流れ方）の選択肢が増え、浴室内の特定領域に対する集中的な気流形成（乾燥）が可能となる。  
第９の発明は、第１〜第８の発明のいずれか１つにおいて、前記浴室に設けられたドアおよび窓が閉まっていない状態を検知してアラームする報知手段を備えたことを特徴とする。  
第９の発明によれば、換気手段の駆動によって浴室内外の圧力差を適切に生じさせ、通気切替手段を適切に動作させることができる。
【発明の効果】
【００１１】
本発明によれば、入浴／非入浴の判別機構、手動調整や電動機構等の気流切替のための特段の外的動作、追加電力、および水まわりの電動設備設置の煩雑さを要さずに、簡単な構成かつ低コストで、浴室内を流れる気流の切替が可能となる。
【図面の簡単な説明】
【００１２】
【図１】実施形態の浴室空調装置を備えた浴室の模式斜視図。
【図２】（ａ）は実施形態の通気口の模式斜視図であり、（ｂ）は図２（ａ）におけるＡ−Ａ’断面図。
【図３】図２（ｂ）を簡略化した模式図。
【図４】実施形態の通気切替手段の動作および内部流路内の空気の流れを示す模式図。
【図５】図４（ａ）の動作状態のときの浴室内の空気の流れを示す模式図。
【図６】図４（ｂ）の動作状態のときの浴室内の空気の流れを示す模式図。
【図７】通気切替手段の他の例の模式図。
【図８】図７に示す通気切替手段の動作を示す模式図。
【図９】通気切替手段のさらに他の例およびその動作を示す模式図。
【図１０】通気切替手段のさらに他の例およびその動作を示す模式図。
【図１１】浴室内の結露量の時間変化を示すグラフ。
【図１２】実施形態のドアセンサ、窓センサ、および報知手段を示すブロック図。
【図１３】実施形態の通気口を２つ備えた浴室ドアの模式斜視図。
【図１４】図１３に示す通気口における通気切替手段およびその動作を示す模式図。
【発明を実施するための形態】
【００１３】
以下、図面を参照し、実施形態について説明する。各図面中、同じ要素には同じ符号を付している。
【００１４】
図１は、実施形態の浴室空調装置を備えた浴室１０の模式斜視図である。
【００１５】
浴室１０は、第１〜第４の壁１１〜１４と、ドア２０と、天井１５に囲まれている。浴室１０内には、浴槽１７、洗い場床１６、カウンタ１８などが設けられている。さらに、浴室１０内には、鏡１９、給水栓、シャワーホースなどが適宜設けられている。
【００１６】
実施形態の浴室空調装置は、天井１５に設けられた換気手段４０と、ドア２０に設けられた通気口３０とを有する。
【００１７】
換気手段４０は、換気扇または浴室乾燥機である。換気手段４０は、換気口、ファン、およびそのファンを駆動するモータを有する。換気口は浴室１０の内部に露出する天井面に形成され、ファンおよびモータは天井１５の裏に設けられている。
【００１８】
ファンの駆動により、浴室１０の内部の空気（水蒸気も含む）が、天井面の換気口さらに換気口に通じる換気ダクトを通じて、浴室１０の外部に排出される。
【００１９】
浴室１０における第４の壁１４およびドア２０が設けられた側の隣には、図示しない洗面室または脱衣室などが設けられている。開状態のドア２０を通じて、使用者は浴室１０の内部と、隣接する洗面室や脱衣室との間を移動できる。
【００２０】
ドア２０も浴室１０の壁面の一部を構成する。そのドア２０の上方に通気口３０が設けられている。通気口３０は、ドア２０の上端部にドア２０の幅方向に沿って設けられている。ドア２０が閉じられた状態で（窓が設けられた浴室の場合には窓も閉じられた状態で）、浴室１０の内部は、通気口３０のみを通じて、隣接する洗面室（脱衣室）と通気できる。ドア２０が閉じられた状態で、換気手段４０のファンの駆動により、通気口３０を通じて浴室１０の内部に空気が吸い込まれる。
【００２１】
図２（ａ）は通気口３０の模式斜視図であり、図２（ｂ）は図２（ａ）におけるＡ−Ａ’断面図である。  
図２（ａ）においては通気口３０の向こう側が浴室１０の内部であり、図２（ｂ）においては通気口３０の左側が浴室１０の内部である。
【００２２】
通気口３０は、ドア２０の側壁に沿って設けられた一対の側壁３１を有する。それら一対の側壁３１の間に、上枠３２、中枠３３、下枠３４、第１の弁体３５、および第２の弁体３６が設けられている。
【００２３】
上枠３２、中枠３３、下枠３４、第１の弁体３５、および第２の弁体３６は、一対の側壁３１の間をドア２０の幅方向に延在している。
【００２４】
上枠３２は、中枠３３および下枠３４よりも上方（天井側）に設けられている。上枠３２における浴室側の壁部３２ａと、中枠３３における浴室側の壁部３３ａとの間に第１開口６２が形成されている。中枠３３における浴室側の壁部３３ａの下方に第２開口６３が形成されている。第１開口６２は、第２開口６３よりも上方（天井側）に位置する。
【００２５】
上枠３２、中枠３３、および下枠３４は、一対の側壁３１の間に内部流路５０を形成している。その内部流路５０は、上枠３２、中枠３３、および下枠３４と同様に、ドア２０の幅方向に延在している。上枠３２と下枠３４との間に設けられた中枠３３は、内部流路５０を、２つの流路（第１の内部流路５１と第２の内部流路５２）に分岐している。
【００２６】
第１の内部流路５１は、上枠３２と中枠３３との間に形成されている。第１の内部流路５１の上面（上壁）を構成する上枠３２の下面、および第１の内部流路５１の下面（下壁）を構成する中枠３３の上面は、第２の内部流路５２との分岐点から、浴室側の第１開口６２に向かって上向き傾斜している。第１の内部流路５１は第１開口６２に通じている。
【００２７】
第２の内部流路５２は、中枠３３と下枠３４との間に形成されている。第２の内部流路５２の上面（上壁）を構成する中枠３３の下面、および第２の内部流路５２の下面（下壁）を構成する下枠３４の上面は、第１の内部流路５１との分岐点から、浴室側の第２開口６３に向かって下向き傾斜している。第２の内部流路５２は第２開口６３に通じている。
【００２８】
下枠３４は、洗面室側に設けられた壁部３４ａを有する。その壁部３４ａは、ドア２０の高さ方向に延在している。その下枠３４の壁部３４ａの上端と、上枠３２との間に、第３開口６１が形成されている。第３開口６１は洗面室側の空間に通じている。
【００２９】
換気手段４０のファンの駆動時に、第３開口６１、第１の内部流路５１、および第１開口６２を通じて、洗面室側から浴室１０の内部の天井面へと給気することができる。
【００３０】
換気手段４０のファンの駆動時において、さらに浴室１０の内部と浴室１０の外部（洗面室）との圧力差が所定値を超えている場合には、第３開口６１、第２の内部流路５２、および第２開口６３を通じて、洗面室側から浴室１０の洗い場床１６の床面にも給気することができる。
【００３１】
第１開口６２から浴室１０内に給気され、第２開口６３からは浴室１０内に給気されない状態を入浴時換気モードとする。第１開口６２および第２開口６３の両方から浴室１０内に給気されている状態を通常換気モードとする。
【００３２】
第２の内部流路５２には、実施形態の通気切替手段として第２の弁体３６が設けられている。換気手段４０の駆動状態、例えばファンの回転数の変化による天井換気口からの吸い込み力の強弱に伴って、浴室１０の内部と浴室１０の外部（洗面室）との圧力差が変化する。
【００３３】
第２の弁体３６は、その浴室内外の圧力差に応じて、内部流路５０における浴室１０の外部（洗面室）から浴室１０の内部へ向けた空気の流通モードを変える。すなわち、第２の弁体３６は、上記入浴時換気モードと通常換気モードとを切り替える。
【００３４】
第２の弁体３６は、第２の内部流路５２の上面近傍を支点として、浴室１０の外部から浴室１０の内部に向かう流路の方向（図２（ｂ）において左方）に可動する。図２（ｂ）に示すように、第２の弁体３６は鉛直方向に対して傾斜するように設置され、第２の内部流路５２内において空気の非流通時には、自重により第２の弁体３６の下端部が下枠３４に当接し、第２の内部流路５２を閉状態にしている。下枠３４によって、第２の弁体３６の図２（ｂ）に示す位置よりも右方への可動が規制されている。
【００３５】
浴室１０の内外の圧力差がないとき、または浴室１０の内部の圧力が浴室１０の外部（洗面室）の圧力よりも高いとき、または浴室１０の内部の圧力が浴室１０の外部（洗面室）の圧力よりも低い場合においてその圧力差が所定値未満のときに、第２の弁体３６は図２（ｂ）に示す位置にあり、第２の内部流路５２を閉状態にしている。
【００３６】
第１の内部流路５１における第３開口６１近傍には、第１の弁体３５が設けられている。第１の弁体３５は、上枠３２における第３開口６１の近傍部分を支点として、浴室１０の外部から浴室１０の内部に向かう流路の方向（図２（ｂ）において左方）に可動する。内部流路５０内において空気の非流通時には、第１の弁体３５は自重により、支点からほぼ鉛直方向に吊り下がった姿勢をとり、その下端部が下枠３４の洗面室側の壁部３４ａの上端に当接し、第３開口６１を閉じている。下枠３４の壁部３４ａによって、第１の弁体３５の図２（ｂ）に示す位置よりも右方への可動が規制されている。
【００３７】
第１の弁体３５は、浴室１０の内部の圧力が浴室１０の外部（洗面室）の圧力よりも高いときに、浴室１０の内部から浴室１０の外部（洗面室）への空気の流通を抑止する逆止弁として機能する。すなわち、第１の弁体３５は、浴室１０の内部から洗面側への湿気の流入や、暖房（乾燥）時の熱の流入を抑制する。
【００３８】
第１の弁体３５は、第２の弁体３６よりも上方（天井側）かつ洗面室側に設けられている。第１の弁体３５の上端部にドア２０の幅方向に延びる軸部３５ａが設けられ、その軸部３５ａが上枠３２に設けられた軸受部３２ｂに嵌め込まれている。同様に、第２の弁体３６の上端部にドア２０の幅方向に延びる軸部３６ａが設けられ、その軸部３６ａが中枠３３に設けられた軸受部３３ｂに嵌め込まれている。
【００３９】
図３は、図２（ｂ）を簡略化した模式図である。
【００４０】
浴室１０の内部の圧力が浴室１０の外部（洗面室）の圧力よりも低いときの浴室内外の圧力差により、第２の弁体３６に作用する圧力をＰ、その圧力Ｐが作用する面積をＳとすると、第２の弁体３６を開く方向に作用する力はＰＳとなる。
【００４１】
第２の弁体３６の密度をρ、第２の弁体３６の体積をＶ、重力加速度をｇとすると、第２の弁体３６に作用する重力（重さ）はρＶｇとなる。
【００４２】
θは、第２の弁体３６の設置角度を表し、鉛直方向に対する第２の弁体３６の傾斜角度を表す。重力ρＶｇの、力ＰＳに平行な成分はρＶｇｓｉｎθとなる。
【００４３】
第２の弁体３６の支点から先端までの長さをＬとすると、第２の弁体３６の軸部３６ａのまわりの力ＰＳのモーメント（第２の弁体３６を開く方向に回転させるトルク）は、ＰＳＬとなる。第２の弁体３６の軸部３６ａのまわりの力ρＶｇｓｉｎθのモーメントは、ρＶｇｓｉｎθ×Ｌとなる。したがって、ＰＳＬがρＶｇｓｉｎθ×Ｌよりも大きくなると、第２の弁体３６の下端部は下枠３４から離れ（持ち上がり）、第２の内部流路５２は開状態になることができる。
【００４４】
例えば、換気手段４０の動作モード（ファンの駆動モード）が強弱の２モードある場合、第２の弁体３６の重さρＶｇの調整により、弱モードのときには第２の弁体３６は閉位置をとり、強モードのときには第２の弁体３６は開位置をとる、というような設定が可能である。
【００４５】
図４（ａ）は、実施形態の通気切替手段（第２の弁体３６）の動作および内部流路５０内の空気の流れを示す模式図である。  
図５は、図４（ａ）の動作状態のときの浴室１０内の空気の流れを示す模式図である。
【００４６】
図４（ａ）および図５は、入浴時換気モードを表す。
【００４７】
入浴時換気モードは、浴室１０の外部または内部に設置された操作部を入浴者が操作することで選択される（開始される）。この使用者の操作により、換気手段４０は後述する通常換気モードよりもファンの駆動力が弱い（回転数が小さい）状態で駆動される。入浴時換気モードが選択されたとき、図５に示すように、使用者１００は浴室１０の内部にいる。
【００４８】
ドア２０が閉められた状態で換気手段４０が駆動され、浴室１０の内部の圧力が浴室１０の外部（洗面室）の圧力よりも低くなり、通気口３０を通じて、浴室１０の外部（洗面室）から浴室１０の内部へと空気が吸い込まれる。
【００４９】
このときの浴室内外の圧力差により、図４（ａ）に示すように、第１の弁体３５が軸部３５ａを支点に浴室側に振れ、第３開口６１を介して第１の内部流路５１が洗面室側に通じる。そして、洗面室側の空気は、第３開口６１から第１の内部流路５１内に吸い込まれ、第１の内部流路５１を流れて、第１開口６２から浴室１０の内部に流入する。
【００５０】
この入浴時換気モードのときの浴室内外の圧力差においては、第２の弁体３６は可動せず、図４（ａ）に示すように、第２の弁体３６の下端部が自重で下枠３４に当接している。したがって、第２開口６３と第３開口６１との間の流路（第２の内部流路５２）は遮断され、第２開口６３から浴室１０の内部へ空気は流入しない。
【００５１】
入浴時換気モードにおいて第１開口６２から浴室１０の内部に流入した空気は、図５に示すように、主に天井面付近を流れる。この天井面を流れる空気により、天井面付近の水蒸気を、天井面の換気口を介して浴室外に排出でき、天井面の結露を抑制することができる。また、この入浴時換気モードでは、洗い場床１６付近の気流の形成を抑えることができ、使用者１００に冷風感を与えにくくできる。
【００５２】
図４（ｂ）は、実施形態の通気切替手段（第２の弁体３６）の動作および内部流路５０内の空気の流れを示す模式図である。  
図６は、図４（ｂ）の動作状態のときの浴室１０内の空気の流れを示す模式図である。
【００５３】
図４（ｂ）および図６は、通常換気モードを表す。
【００５４】
通常換気モードは、例えば入浴後など、浴室１０内に使用者がいない状態で、上記操作部の操作により選択される（開始される）。通常換気モードでは、換気手段４０は前述した入浴時換気モードよりもファンの駆動力が強い（回転数が大きい）状態で駆動される。
【００５５】
通常換気モードにおいても、ドア２０が閉められた状態で換気手段４０が駆動され、浴室１０の内部の圧力が浴室１０の外部（洗面室）の圧力よりも低くなり、通気口３０を通じて、浴室１０の外部（洗面室）から浴室１０の内部へと空気が吸い込まれる。
【００５６】
そして、図４（ｂ）に示すように、第１の弁体３５が軸部３５ａを支点に浴室側に振れ、洗面室側の空気は、第３開口６１から第１の内部流路５１内に吸い込まれ、第１の内部流路５１を流れて、第１開口６２から浴室１０の内部に流入する。
【００５７】
さらに通常換気モードにおいては、入浴時換気モードよりも浴室内外の圧力差が大きく、図４（ｂ）に示すように、第２の弁体３６が軸部３６ａを支点に浴室側に振れ、第３開口６１を介して第２の内部流路５２も洗面室側に通じる。洗面室側の空気は、第３開口６１から第２の内部流路５２内にも吸い込まれ、第２の内部流路５２を流れて、第２開口６３から浴室１０の内部に流入する。
【００５８】
通常換気モードにおいて、第１開口６２から浴室１０の内部に流入した空気は、図６に示すように、主に天井面付近を流れ、第２開口６３からは下方に向けて浴室１０の内部に流入し、その空気は洗い場床１６付近を主に流れる。通常換気モードにおいては、天井面に加えて床面にも主気流を形成し、天井面および床面の乾燥を促進する。
【００５９】
このように実施形態によれば、入浴者に冷風感を与えないようにしつつ、入浴中においても天井面付近に気流を形成することで、入浴後に手入れの行き届きにくい天井面の結露量を低減できる。これは、入浴後の通常換気モードにおける天井面の乾燥を早め、カビの発生および繁殖を効果的に抑止することができる。
【００６０】
図１１は、浴室内の結露量の時間変化を示すグラフである。
【００６１】
破線は、入浴中には換気を行わず、入浴後のみ換気する比較例を表し、実線は、上記実施形態の入浴時換気モードおよび通常換気モードを行った例を表す。
【００６２】
図１１の結果が示すように、実施形態によれば、入浴中から換気を行うことで、浴室内（主に天井面）の結露量を低減することができるとともに、入浴後においては、天井面に限らず、床面や洗い場周辺などに流速の大きな気流を形成することができるため、入浴中の時点ですでに天井面の結露量を低減できる効果と併せて、トータルの浴室乾燥時間を短くできる。これは、浴室内のカビの発生および繁殖を効果的に抑止する。
【００６３】
通気口３０は、ドア２０の上端部に設けられ、換気手段４０の換気口（吸込口）が設けられた天井面に近い高さに位置する。このため、入浴時換気モードにおいて、天井面を平行に流れる主気流を形成しやすく、入浴者が気流（冷風感）を感じにくく、体感温度の低下を抑えることができる。
【００６４】
実施形態によれば、入浴時換気モードと通常換気モードとを切り替える通気切替手段として２つの弁体３５、３６を用いた簡易な弁構造を採用している。このような簡易な構成で、換気手段４０の駆動力変化（換気風量の大小）に伴って変化する浴室内外の微小差圧に応じて自然に浴室１０内に適切な気流を形成することができる。
【００６５】
実施形態によれば、入浴／非入浴の判別機構、手動調整や電動機構等の気流切替のための特段の外的動作、追加電力、および水まわりの電動設備設置の煩雑さを要さずに、簡単な構成かつ低コストで、浴室内を流れる気流の切替が可能となる。
【００６６】
図３に示す第２の弁体３６に作用する重力（重さ）ρＶｇと、圧力差による力ＰＳとの関係を考慮した適切な設計により、排気能力や仕様変更に制限がある換気手段４０の駆動力変化に伴う微小圧力差をそのまま利用して、第２の弁体３６の開閉を行うことができる。
【００６７】
次に、通気口の他の例について説明する。前述した通気口３０と実質的に同じ要素には同じ符号を付し、その詳細な説明は省略する。
【００６８】
図７（ａ）は、通気口１３０の模式図であり、図２（ｂ）と同様な断面を表す。  
図７（ｂ）は、図７（ａ）に示す弁体３７の拡大図である。  
図８（ａ）および（ｂ）は、通気口１３０の動作を示す模式図である。
【００６９】
通気口１３０は、２つの弁体ではなく、１つの弁体３７を備えている。弁体３７は通気切替手段として機能する。
【００７０】
弁体３７は、第１の内部流路５１と第２の内部流路５２との分岐点に設けられている。弁体３７は、上部３７ａと、下部３７ｂと、上部３７ａと下部３７ｂとの間に設けられた軸部３７ｃとを有する。
【００７１】
図７（ｂ）に示すように、軸部３７ｃは、通気口１３０の側壁に設けられたＵ字状の軸受部３８に支持され、弁体３７は、軸部３７ｃを中心にまわる（または軸部３７ｃを支点に振れる）ことができる。
【００７２】
弁体３７の上部３７ａは軸部３７ｃから第１の内部流路５１内に突出し、下部３７ｂは軸部３７ｃから第２の内部流路５２内に突出している。下部３７ｂの突出長さは、上部３７ａの突出長さよりも長い。上部３７ａの厚さは、下部３７ｂの厚さよりも厚い。下部３７ｂは上部３７ａよりも突出長さが長い分、空気を受ける面積Ｓが広く、上部３７ａと下部３７ｂが同じ圧力Ｐを受けた場合、下部３７ｂに作用する力ＰＳは、上部３７ａに作用する力ＰＳよりも大きくなる。
【００７３】
上部３７ａおよび下部３７ｂは、通気口１３０の一対の側壁３１における一方から他方にかけて延在している。軸部３７ｃは、一対の側壁３１側の端部に設けられている。
【００７４】
上部３７ａは、軸部３７ｃを支点に、第１の内部流路５１内で可動し、洗面室側の第３開口６１に向き合う位置をとらない。
【００７５】
浴室内外の圧力差が第１所定値未満の場合、弁体３７は重力のモーメントで図７（ａ）に示す位置を維持する。すなわち、下部３７ｂの下端部が下枠３４の洗面室側の壁部３４ａに当接し、その下端部よりも軸部３７ｃ側の部分が第３開口６１に向き合う。第１の内部流路５１は第３開口６１と通じている。
【００７６】
そして、換気手段４０の駆動により、洗面室側の空気は、第３開口６１から第１の内部流路５１内に吸い込まれ、第１の内部流路５１を流れて、第１開口６２から浴室１０の内部に流入する。第１開口６２から浴室１０の内部に流入した空気は主に天井面付近を流れる。この天井面を流れる空気により、天井面付近の水蒸気を、天井面の換気口を介して浴室外に排出でき、天井面の結露を抑制することができる。
【００７７】
このとき、弁体３７の下部３７ｂは、第３開口６１と第２の内部流路５２との間を遮蔽し、第２開口６３から浴室１０の内部へ空気は流入しない。したがって、図７（ａ）に示すモード（第１換気モード）においては、洗い場床付近の気流の形成を抑えることができ、入浴者に冷風感を与えにくくできる。
【００７８】
次に、図８（ａ）に示すモード（第２換気モード）について説明する。
【００７９】
換気手段４０の駆動により、浴室１０の内部の圧力が外部（洗面室）の圧力よりも低くなり、その圧力差が第１所定値以上であり、かつ第２所定値未満の場合には、弁体３７は図８（ａ）に示す位置に可動する。第２所定値は第１所定値よりも大きい。図８（ａ）のモードにおいて弁体３７の下部３７ｂに洗面室側から作用する圧力Ｐが、図７（ａ）のときより大きくなり、下部３７ｂは軸部３７ｃを支点に第２の内部流路５２側に可動する。第３開口６１が第２の内部流路５２と通じる。
【００８０】
洗面室側の空気は、第３開口６１から第２の内部流路５２内にも吸い込まれ、第２の内部流路５２を流れて、第２開口６３から浴室１０の内部に流入する。さらに、第１の内部流路５１と第３開口６１との連通状態も維持され、洗面室側の空気は、第３開口６１から第１の内部流路５１内に吸い込まれ、第１の内部流路５１を流れて、第１開口６２から浴室１０の内部に流入する。
【００８１】
図８（ａ）に示す第２換気モードにおいて、第１開口６２から浴室１０の内部に流入した空気は、主に天井面付近を流れ、第２開口６３からは下方に向けて浴室１０の内部に流入し、その空気は洗い場床付近を主に流れる。したがって、天井面に加えて床面にも主気流が形成され、天井面および床面の乾燥を促進される。
【００８２】
次に、図８（ｂ）に示すモード（第３換気モード）について説明する。
【００８３】
換気手段４０の駆動により、浴室１０の内部の圧力が外部（洗面室）の圧力よりも低くなり、その圧力差が第１所定値よりも大きい第２所定値以上の場合には、弁体３７は図８（ｂ）に示す位置に可動する。すなわち、弁体３７の下部３７ｂに作用する圧力Ｐが、図８（ａ）のときよりさらに大きくなり、下部３７ｂは軸部３７ｃを支点にさらに第２の内部流路５２側に可動する。弁体３７の下部３７ｂが中枠３３に当接すると、それ以上の弁体３７の可動が規制される。
【００８４】
図８（ｂ）に示す第３換気モードにおいて、弁体３７の下部３７ｂは、図８（ａ）のときよりも、鉛直方向に対して傾斜しつつ上方に持ち上がり、第２の内部流路５２の第３開口６１側の流路断面積が広がる。
【００８５】
第１の内部流路５１の第３開口６１側は、弁体３７の上部３７ａ、および下部３７ｂの一部によって遮蔽され、洗面室側からの空気は第１の内部流路５１に流入しない。したがって、空気は第２開口６３からのみ下方に向けて浴室１０の内部に流入し、その空気は洗い場床付近を主に流れる。
【００８６】
図７および図８に示す通気口１３０によれば、１つの弁体３７という極めて簡単な構成によって、浴室１０の使用状況に応じた気流形成の切替を実現することができる。
【００８７】
上記３つの換気モード（第１〜第３換気モード）は、換気手段４０の駆動モードに連動する。換気手段４０は、換気風量（ファンの回転数）の違いによって例えば強中弱の３つのモードをもつ。
【００８８】
弱モード時の圧力差は中モード時の圧力差よりも小さく、中モード時の圧力差は強モード時の圧力差よりも小さい。ここで、圧力差は、ドア２０が閉められた状態で（窓がある場合には窓も閉められた状態で）、換気手段４０の駆動によって生じる浴室１０の内部と外部（洗面室）との圧力差を表す。
【００８９】
弱モード時、弁体３７は図７（ａ）に示す位置をとり、給気先が天井面付近のみの上記第１換気モードが実行される。
【００９０】
中モード時、弁体３７は図８（ａ）に示す位置をとり、給気先が天井面付近と床面付近の両方となる上記第２換気モードが実行される。
【００９１】
強モード時、弁体３７は図８（ｂ）に示す位置をとり、給気先が床面付近のみの上記第３換気モードが実行される。
【００９２】
電動や手動ではなく浴室内外の圧力差で自然と可動し上記３つの位置をとり得る弁体３７によって、上記第１〜第３換気モードを切り替えることができる。例えば、入浴中には第１換気モード（図７（ａ））が選択され、入浴後には第２換気モード（図８（ａ））または第３換気モード（図８（ｂ））が選択される。
【００９３】
第１換気モードの選択により、入浴者に冷風感を与えないようにしつつ、入浴中においても天井面付近に気流を形成することで、入浴後に手入れの行き届きにくい天井面の結露量を低減できる。これは、入浴後の第２または第３換気モードにおける天井面の乾燥を早め、カビの発生および繁殖を効果的に抑止することができる。
【００９４】
また、例えば、床面にカビ汚れが目立つ場合や、床面に残水が多い場合には、入浴後に第３換気モードによって床面に特化した気流による乾燥を実施するという選択も可能である。
【００９５】
図９（ａ）〜（ｃ）は、通気口のさらに他の例およびその動作を示す模式図である。
【００９６】
図９（ａ）〜（ｃ）に示す通気口１３０’は、図７および図８に示す通気口１３０と同様、１つの弁体３７を備えている。さらに、通気口１３０’は、ストッパー３９を備えている点で上記通気口１３０と異なる。
【００９７】
ストッパー３９は、第１の内部流路５１の上面（上枠３２の下面）から下方に突出して第１の内部流路５１内に設けられ、一対の側壁３１の間に延在している。
【００９８】
次に、通気口１３０’における弁体３７の動作について説明する。通気口１３０’においては、図９（ｂ）に示す入浴時換気モードと、図９（ｃ）に示す通常換気モードの２つの換気モードを実行可能である。
【００９９】
浴室内外の圧力差がない場合、または浴室１０の内部の圧力が浴室１０の外部（洗面室）の圧力よりも低い場合であっても、その圧力差が第１所定値未満の場合、弁体３７は重力のモーメントで図９（ａ）に示す位置を維持する。弁体３７の上部３７ａの上端部がストッパー３９に当接し、弁体３７は、第１の内部流路５１と第３開口６１との間、および第２の内部流路５２と第３開口６１との間を遮蔽している。したがって、通気口１３０’を通じて、洗面室側から浴室内へと空気は流入しない。
【０１００】
また、浴室１０の内部の圧力が浴室１０の外部（洗面室）の圧力よりも高い場合において、弁体３７は、浴室１０の内部から浴室１０の外部（洗面室）への空気の流通を抑止する逆止弁として機能する。
【０１０１】
弁体３７の上部３７ａおよび下部３７ｂに浴室側から同じ圧力Ｐが作用した場合、下部３７ｂの方が、上部３７ａよりも軸部３７ｃを起点とした突出長さが長い分、面積Ｓが大きく、下部３７ｂが浴室側からの圧力による受ける力ＰＳは、上部３７ａが浴室側から受ける圧力ＰＳよりも大きい。
【０１０２】
そのため、弁体３７には図９（ａ）において反時計方向に回転させるトルクが作用し、上部３７ａがストッパー３９に当接し、それ以上の弁体３７の回転が規制される。したがって、浴室１０の内部の圧力が浴室１０の外部（洗面室）の圧力よりも高い場合においても、弁体３７は図９（ａ）に示す位置を維持し、浴室側から洗面室側への空気の流通を遮断する。
【０１０３】
このように弁体３７が逆止弁として機能することにより、浴室１０の内部から浴室１０の外部（洗面室）に、水や蒸気が漏出することを防止できる。
【０１０４】
次に、図９（ｂ）に示す入浴時換気モードについて説明する。
【０１０５】
換気手段４０の駆動により、浴室１０の内部の圧力が外部（洗面室）の圧力よりも低くなり、その圧力差が第１所定値以上であり、かつ第２所定値未満の場合には、弁体３７は図９（ｂ）に示す位置に可動する。第２所定値は第１所定値よりも大きい。弁体３７の下部３７ｂに対して洗面室側から圧力が作用し、下部３７ｂは軸部３７ｃを支点に、図９（ａ）のときよりも第２の内部流路５２側に可動する。
【０１０６】
この弁体３７の可動により、上部３７ａがストッパー３９から離間し、ストッパー３９と上部３７ａとの間に隙間が確保される。その隙間を通じて、第１の内部流路５１は第３開口６１と通じる。
【０１０７】
そして、洗面室側の空気は、第３開口６１から第１の内部流路５１内に吸い込まれ、第１の内部流路５１を流れて、第１開口６２から浴室１０の内部に流入する。第１開口６２から浴室１０の内部に流入した空気は主に天井面付近を流れる。この天井面を流れる空気により、天井面付近の水蒸気を、天井面の換気口を介して浴室外に排出でき、天井面の結露を抑制することができる。
【０１０８】
このとき、弁体３７の下部３７ｂは、第３開口６１と第２の内部流路５２との間を遮蔽し、第２開口６３から浴室１０の内部へ空気は流入しない。したがって、図９（ｂ）に示す入浴時換気モードにおいては、洗い場床付近の気流の形成を抑えることができ、入浴者に冷風感を与えにくくできる。
【０１０９】
次に、図９（ｃ）に示す通常換気モードについて説明する。
【０１１０】
換気手段４０の駆動により、浴室１０の内部の圧力が外部（洗面室）の圧力よりも低くなり、その圧力差が第１所定値よりも大きい第２所定値以上の場合には、弁体３７は図９（ｃ）に示す位置に可動する。すなわち、弁体３７の下部３７ｂに洗面室側から作用する圧力が、図９（ｂ）のときよりさらに大きくなり、下部３７ｂは軸部３７ｃを支点に第２の内部流路５２の上面側に可動する。弁体３７の下部３７ｂは、鉛直方向に対して傾斜しつつ上方に持ち上がり、第２の内部流路５２の下面から離れる。
【０１１１】
このとき、上部３７ａの上端は上枠３２に当接し、第１の内部流路５１の第３開口６１側は、その上部３７ａによって遮蔽され、洗面室側からの空気は第１の内部流路５１に流入しない。したがって、空気は第２開口６３からのみ下方に向けて浴室１０の内部に流入し、その空気は洗い場床付近を主に流れる。
【０１１２】
この通気口１３０’においても、１つの弁体３７という極めて簡単な構成によって、浴室１０の使用状況に応じた気流形成の切替を実現することができる。
【０１１３】
電動や手動ではなく浴室内外の圧力差で自然と可動する弁体３７によって、図９（ｂ）に示す入浴時換気モードと、図９（ｃ）に示す通常換気モードを切り替えることができる。
【０１１４】
図１０（ａ）〜（ｃ）は、通気口のさらに他の例およびその動作を示す模式図である。
【０１１５】
図１０（ａ）〜（ｃ）に示す通気口３０’は、図２〜図４に示す通気口３０と同様、２つの弁体３５、３６を備えている。さらに、通気口３０’は、風量調整部材７１を備えている点で上記通気口３０と異なる。
【０１１６】
風量調整部材７１は、第１の弁体３５よりも浴室側における第１の内部流路５１の下面（中枠３３の上面）から上方に突出して第１の内部流路５１内に設けられている。風量調整部材７１は、一対の側壁３１の間に延在している。風量調整部材７１は、第１の内部流路５１の下面との間に鋭角を形成して傾斜しつつ、洗面室側に突出している。
【０１１７】
通気口３０’において空気の非流通時（浴室内外の圧力差が０のとき）には、第１の弁体３５は自重により、支点からほぼ鉛直方向に吊り下がった姿勢をとり、その下端部が下枠３４の洗面室側の壁部３４ａの上端に当接し、第３開口６１を閉じている。
【０１１８】
このような第１の弁体３５は、浴室１０の内部の圧力が浴室１０の外部（洗面室）の圧力よりも高いときに、浴室１０の内部から浴室１０の外部（洗面室）への空気の流通を抑止する逆止弁として機能する。すなわち、第１の弁体３５は、浴室１０の内部から洗面側への湿気の流入や、暖房（乾燥）時の熱の流入を抑制する。
【０１１９】
次に、通気口３０’における弁体３５、３６の動作について説明する。通気口３０’においては、図７および図８の通気口１３０と同様に、第１換気モード（図１０（ａ））と、第２換気モード（図１０（ｂ））と、第３換気モード（図１０（ｃ））の３つの換気モードを実行可能である。
【０１２０】
以下の説明において、圧力差は、浴室１０の内部の圧力が浴室１０の外部（洗面室）の圧力よりも低いときの圧力差を表す。
【０１２１】
浴室内外の圧力差が０より大きく第１所定値未満の場合、第１の弁体３５は軸部３５ａを支点に第１の内部流路５１側に可動する。第１の内部流路５１は、第１の弁体３５の下端部と中枠３３の上面との間の隙間を通じて第３開口６１と連通する。その隙間を通じて、洗面室側の空気は、第１の内部流路５１内に吸い込まれ、風量調整部材７１と第１の内部流路５１の上面との間の流路を流れて、第１開口６２から浴室１０の内部に流入する。
【０１２２】
第１開口６２から浴室１０の内部に流入した空気は主に天井面付近を流れる。この天井面を流れる空気により、天井面付近の水蒸気を、天井面の換気口を介して浴室外に排出でき、天井面の結露を抑制することができる。
【０１２３】
このとき、第２の弁体３６の下端部は下枠３４に当接し、第２の弁体３６は、第２の内部流路５２を閉じている。したがって、図１０（ａ）に示すモード（第１換気モード）においては、洗い場床付近の気流の形成を抑えることができ、入浴者に冷風感を与えにくくできる。
【０１２４】
次に、図１０（ｂ）に示す第２換気モードについて説明する。
【０１２５】
浴室内外の圧力差が第１所定値以上であり、かつ第２所定値未満の場合には、第１の弁体３５は図１０（ｂ）に示す位置に可動する。第２所定値は第１所定値よりも大きい。この第２換気モードにおいて、第１の弁体３５に洗面室側から作用する圧力が、図１０（ａ）の第１換気モードのときより大きくなり、第１の弁体３５は軸部３５ａを支点にさらに左方（浴室側）へと大きく振れる。第１の内部流路５１と第３開口６１との連通状態は維持される。
【０１２６】
さらに、第２の弁体３６も軸部３６ａを支点に左方（浴室側）へと振れ、下枠３４から離間する。第２の弁体３６と下枠３４との間に隙間が形成される。洗面室側の空気は、第３開口６１から第２の内部流路５２内にも吸い込まれ、第２の内部流路５２内の上記隙間を流れて、第２開口６３から浴室１０の内部に流入する。
【０１２７】
この図１０（ｂ）に示す第２換気モードにおいて、第１開口６２から浴室１０の内部に流入した空気は、主に天井面付近を流れ、第２開口６３からは下方に向けて浴室１０の内部に流入し、その空気は洗い場床付近を主に流れる。したがって、天井面に加えて床面にも主気流が形成され、天井面および床面の乾燥を促進される。
【０１２８】
次に、図１０（ｃ）に示す第３換気モードについて説明する。
【０１２９】
浴室内外の圧力差が第１所定値よりも大きい第２所定値以上の場合には、第１の弁体３５は、軸部３５ａを支点にさらに上方へと持ち上がり、第１の弁体３５の先端部が風量調整部材７１に当接し、それ以上の第１の弁体３５の可動が規制される。風量調整部材７１に当接した第１の弁体３５は、第１開口６２と第３開口６１との間の第１の内部流路５１を遮断する。
【０１３０】
第２の弁体３６は、図１０（ｂ）の第２換気モードのときよりも、さらに左方に振れ、第２の弁体３６と、第２の内部流路５２の下面との間の流路断面積がさらに広がる。
【０１３１】
この第３換気モードにおいて、洗面室側からの空気は第２開口６３からのみ下方に向けて浴室１０の内部に流入し、その空気は洗い場床付近を主に流れる。
【０１３２】
通気口３０’がとり得る上記３つの換気モード（第１〜第３換気モード）は、前述した通気口１３０の場合と同様に、換気手段４０の駆動モードに連動する。換気手段４０は、換気風量（ファンの回転数）の違いによって例えば強中弱の３つのモードをもつ。
【０１３３】
弱モード時、弁体３５、３６は図１０（ａ）に示す位置をとり、給気先が天井面付近のみの上記第１換気モードが実行される。
【０１３４】
中モード時、弁体３５、３６は図１０（ｂ）に示す位置をとり、給気先が天井面付近と床面付近の両方となる上記第２換気モードが実行される。
【０１３５】
強モード時、弁体３５、３６は図１０（ｃ）に示す位置をとり、給気先が床面付近のみの上記第３換気モードが実行される。
【０１３６】
この通気口３０’においても、電動や手動ではなく浴室内外の圧力差で自然と可動し上記３つの位置をとり得る弁体３５、３６によって、上記第１〜第３換気モードを切り替えることができる。例えば、入浴中には第１換気モード（図１０（ａ））が選択され、入浴後には第２換気モード（図１０（ｂ））または第３換気モード（図１０（ｃ））が選択される。
【０１３７】
第１換気モードの選択により、入浴者に冷風感を与えないようにしつつ、入浴中においても天井面付近に気流を形成することで、入浴後に手入れの行き届きにくい天井面の結露量を低減できる。これは、入浴後の第２または第３換気モードにおける天井面の乾燥を早め、カビの発生および繁殖を効果的に抑止することができる。
【０１３８】
また、例えば、床面にカビ汚れが目立つ場合や、床面に残水が多い場合には、入浴後に第３換気モードによって床面に特化した気流による乾燥を実施するという選択も可能である。
【０１３９】
図１２は、実施形態のドアセンサ２５、窓センサ２６、および報知手段２４を示すブロック図である。
【０１４０】
ドアセンサ２５はドア２０が閉まっていない状態を検知し、窓センサ２６は窓２３が閉まっていない状態を検知する。報知手段２４は、それらセンサ２５、２６の検知出力を受けて、例えば、視覚的にまたは音で、人に対してドア２０や窓２３が閉まっていないことを知らせる。
【０１４１】
前述した実施形態の通気口における弁体を適切に動作させるためには、ドア２０が閉められた状態で浴室内外の圧力差を適切に生じさせることが求められる。また、窓２３を備えた浴室においては窓２３も閉められた状態で上記通気口を動作させる必要がある。
【０１４２】
そこで、実施形態の浴室空調装置を作動させるにあたって、上記ドアセンサ２５、窓センサ２６、および報知手段２４によって、ドア２０や窓２３が閉まっていないことを人に対して注意喚起することで、浴室内の適切な換気および乾燥を実行できる。
【０１４３】
図１３は、２つの通気口２３１、２３２を備えた浴室ドア２０の模式斜視図である。図１３は、ドア２０の左側半分のみを示す。  
図１４（ａ）は通気口２３１の模式図であり、図１４（ｂ）は通気口２３２の模式図である。
【０１４４】
図１３に示すように、通気口２３１は、ドア２０の上端部にドア２０の幅方向に沿って設けられている。通気口２３２は、ドア２０の下端部にドア２０の幅方向に沿って設けられている。
【０１４５】
通気口２３１および通気口２３２は、ドア２０の側壁に沿って設けられた一対の側壁を有し、その側壁間に、図１４（ａ）および（ｂ）に示す第１の弁体３５、第２の弁体３６、第１の内部流路５１、第２の内部流路５２などが形成されている。
【０１４６】
図１４（ａ）に示すように、通気口２３１は、上枠１３２、第１中枠１３３、および第１の弁体３５を有する。これらは、通気口２３１の一対の側壁の間をドア２０の幅方向に延在している。
【０１４７】
上枠１３２と第１中枠１３３との間に第１の内部流路５１が形成されている。第１の内部流路５１は、洗面室側の第３開口６１から浴室側の第１開口６２に向かって上向き傾斜している。第１の内部流路５１は第１開口６２を介して浴室１０の内部と通じている。また、第１の内部流路５１は、開状態の第１の弁体３５および第３開口６１を介して洗面室側と通じることができる。
【０１４８】
第１の内部流路５１における第３開口６１近傍に、第１の弁体３５が設けられている。第１の弁体３５は、上枠１３２における第３開口６１の近傍部分を支点として、浴室１０の外部から浴室１０の内部に向かう流路の方向（図１４（ａ）において左方）に可動する。
【０１４９】
第１の内部流路５１内において空気の非流通時には、第１の弁体３５は自重により、支点からほぼ鉛直方向に吊り下がった姿勢をとり、その下端部が第１中枠１３３の洗面室側の壁部１３３ａの上端に当接し、第３開口６１を閉じている。第１中枠１３３の壁部１３３ａによって、第１の弁体３５の図１４（ａ）に示す位置よりも右方への可動が規制されている。
【０１５０】
このような第１の弁体３５は、浴室１０の内部の圧力が浴室１０の外部（洗面室）の圧力よりも高いときに、浴室１０の内部から浴室１０の外部（洗面室）への空気の流通を抑止する逆止弁の機能も有する。
【０１５１】
図１４（ｂ）に示すように、通気口２３２は、第２中枠１３５、下枠１３４、および第２の弁体３６を有する。これらは、通気口２３２の一対の側壁の間をドア２０の幅方向に延在している。
【０１５２】
第２中枠１３５と下枠１３４との間に第２の内部流路５２が形成されている。第２の内部流路５２は、洗面室側の第４開口６４から浴室側の第２開口６３に向かって下向き傾斜している。第２の内部流路５２は第２開口６３を介して浴室１０の内部と通じている。また、第２の内部流路５２は、開状態の第２の弁体３６および第４開口６４を介して洗面室側と通じることができる。
【０１５３】
第２の内部流路５２における第４開口６４近傍に、第２の弁体３６が設けられている。第２の弁体３６は、第２中枠１３５における第４開口６４の近傍部分を支点として、浴室１０の外部から浴室１０の内部に向かう流路の方向（図１４（ｂ）において左方）に可動する。
【０１５４】
第２の内部流路５２内において空気の非流通時には、第２の弁体３６は自重により、その下端部が下枠１３４に当接し、第２の内部流路５２と第４開口６４との間を遮断している。第２の弁体３６は、下枠１３４によって、図１４（ｂ）に示す位置よりも右方への可動が規制されている。
【０１５５】
このような第２の弁体３６は、浴室１０の内部の圧力が浴室１０の外部（洗面室）の圧力よりも高いときに、浴室１０の内部から浴室１０の外部（洗面室）への空気の流通を抑止する逆止弁の機能も有する。
【０１５６】
換気手段４０の駆動により、浴室１０の内部の圧力が外部（洗面室）の圧力よりも低くなり、その圧力差が所定値未満の場合に、第１の弁体３５は軸部３５ａを支点に、図１４（ａ）の位置から第１の内部流路５１側に可動する。
【０１５７】
この第１の弁体３５の可動により、第１の内部流路５１は第３開口６１と通じる。そして、洗面室側の空気は、第３開口６１から第１の内部流路５１内に吸い込まれ、第１の内部流路５１を流れて、第１開口６２から浴室１０の内部に流入する。第１開口６２から浴室１０の内部に流入した空気は主に天井面付近を流れる。この天井面を流れる空気により、天井面付近の水蒸気を、天井面の換気口を介して浴室外に排出でき、天井面の結露を抑制することができる。
【０１５８】
このとき、例えば第２の弁体３６の重量を第１の弁体３５の重量よりも重く設計することで、第２の弁体３６は図１４（ｂ）に示す位置を維持することができる。すなわち、第２の弁体３６は、第４開口６４と第２の内部流路５２との間を遮蔽し、第２開口６３から浴室１０の内部へ空気は流入しない。したがって、洗い場床付近の気流の形成を抑えることができ、入浴者に冷風感を与えにくくできる。
【０１５９】
浴室１０の内部の圧力が外部（洗面室）の圧力よりも低くなり、その圧力差が所定値以上の場合には、第２の弁体３６は軸部３６ａを支点に、図１４（ｂ）の位置から第２の内部流路５２側に可動する。
【０１６０】
この第２の弁体３６の可動により、第２の内部流路５２は第４開口６４と通じる。そして、洗面室側の空気は、第４開口６４から第２の内部流路５２内に吸い込まれ、第２の内部流路５２を流れて、第２開口６３から浴室１０の内部に流入する。第２開口６３から浴室１０の内部に流入した空気は主に床面付近を流れる。
【０１６１】
このとき、第１の弁体３５も開状態を維持し、浴室の天井面と床面の両方に対して気流形成による乾燥を促進させることができる。
【０１６２】
この図１４に示す通気口２３１、２３２においても、弁体３５、３６という簡単な構成によって、浴室１０の使用状況に応じた気流形成の切替を実現することができる。
【０１６３】
電動や手動ではなく浴室内外の圧力差で自然と可動する弁体３５、３６によって、主に天井面付近のみに気流を形成するモード（入浴時換気モード）と、天井面と床面の両方に気流を形成するモード（通常換気モード）を切り替えることができる。
【０１６４】
以上、具体例を参照しつつ本発明の実施形態について説明した。しかし、本発明は、それらに限定されるものではなく、本発明の技術的思想に基づいて種々の変形が可能である。
【符号の説明】
【０１６５】
１０…浴室、２０…ドア、３０，３０’，１３０，１３０’，２３１，２３２…通気口、４０…換気手段、３５…第１の弁体、３６…第２の弁体、３７…弁体、５１…第１の内部流路、５２…第２の内部流路
【図１】
2018021713.tif 000003
【図２】
2018021713.tif 000004
【図３】
2018021713.tif 000005
【図４】
2018021713.tif 000006
【図５】
2018021713.tif 000007
【図６】
2018021713.tif 000008
【図７】
2018021713.tif 000009
【図８】
2018021713.tif 000010
【図９】
2018021713.tif 000011
【図１０】
2018021713.tif 000012
【図１１】
2018021713.tif 000013
【図１２】
2018021713.tif 000014
【図１３】
2018021713.tif 000015
【図１４】
2018021713.tif 000016